(57)【要約】      （修正有）【課題】草刈り作業等の農作業に適し、フィット感が高く、通気性に優れ、かつ、安全性を確保できる作業用エプロンを提供する。【解決手段】合成樹脂製のメッシュシートまたは合成樹脂をコーティングしたメッシュシートにより、胸当部２、胴部３および両足部４が構成されており、前記胴部と胸当部の接続部には、身体腰部に着脱自在に装着するために拡開・収縮ができる弾性部材からなるベルト５を取付けるとともに、該ベルトの上部に接続された胸当部には、弾性部材からなる立設プレート６を上下方向に取付けて作業用エプロン１を構成する。【選択図】図１
0003150849.tif 000002
【実用新案登録請求の範囲】
【請求項１】
合成樹脂製のメッシュシートまたは合成樹脂をコーティングしたメッシュシートにより、胸当部、胴部および両足部が構成されていることを特徴とする作業用エプロン。
【請求項２】
前記胴部と胸当部の接続部には、身体腰部に着脱自在に装着するために拡開・収縮ができる弾性部材からなるベルトを取付けるとともに、該ベルトの上部に接続された胸当部には、弾性部材からなる立設プレートを上下方向に取付けたことを特徴とする請求項１に記載の作業用エプロン。
【請求項３】
前記ベルトおよび立設プレートは、合成樹脂製の収納袋体にそれぞれ収納し、各収納袋体をメッシュシートからなる胸当部および胴部に熱溶着して取付けられていることを特徴とする請求項２に記載の作業用エプロン
【請求項４】
前記胴部の下部には、二股に分岐して配置された筒状の両足部が延設されており、背面部は着用者の着脱を容易にするために、胴部から膝にいたる背面部分が切除されていることを特徴とする請求項１〜３のいずれかに記載の作業用エプロン。
【考案の詳細な説明】
【技術分野】
【０００１】
本考案は、草刈作業等の農作業に適した作業用エプロンに関するものである。
【背景技術】
【０００２】
従来、作業用の前掛けとして様々なものが考案されている。例えば、メッシュシートからなる前掛け本体に、前掛け本体を身体に装着する身体装着部を取付けた前掛けが開示されている（例えば、特許文献１参照）。また、腰から両足首にかけた作業者の前部分を覆う下半身当て部を有し、前記下半身当て部は、矩形状の布の一角をほぼ直角に削落した、左右対称の２枚の原布地の、前記削落した端縁部分を互いに縫製してなることを特徴とする作業用エプロンが開示されている（例えば、特許文献２参照）。
【先行技術文献】
【特許文献】
【０００３】
【特許文献１】実開平０５−４６９０８号公報
【特許文献２】特開２００６−２６５７５２号公報
【考案の概要】
【考案が解決しようとする課題】
【０００４】
しかしながら、特許文献１の前掛けは、腰部から長方形のシートを垂下したものであるため、前傾姿勢になったり、風に煽られるとシートが揺れて、足に絡んだり農業機械器具に絡みつくという問題がある。また、特許文献２に示す作業用エプロンは、陶芸用のエプロンであって、ズボンに粘土等が付着するのを防止するため、特に両足部を覆う布片を大きくしているが、座位（着座など）による作業を想定しているので布片の下端部分はズボンに巻着されていない。そのため、立作業をするには動き難く農作業には適していない。
【課題を解決するための手段】
【０００５】
本考案の作業用エプロンは、合成樹脂製のメッシュシートまたは合成樹脂をコーティングしたメッシュシートを用いて、胸当部、胴部および両足部から構成されている。また、前記胴部と胸当部の接続部には、身体腰部に着脱自在に装着するために拡開・収縮ができる弾性部材からなるベルトを取付けるとともに、該ベルトの上部に接続された胸当部には、弾性部材からなる立設プレートを上下方向に取付けている。
【０００６】
このようにすれば、拡開・収縮ができる弾性部材からなるベルトを身体腰部にワンタッチで取付けできるとともに、胸当部も自立しているので、紐等を首に巻回して胸当を固定させる必要がない。また、作業用エプロンはメッシュシートで形成されているので、同シートを熱溶着するだけで容易に製造することができ、さらに、軽くかつ通気性に優れているので使用者のフィット感や作業性を向上させることができる。
【０００７】
また、本考案の作業用エプロンは、前記ベルトおよび立設プレートは、合成樹脂製の収納袋体にそれぞれ収納し、各収納袋体をメッシュシートからなる胸当部および胴部に熱溶着して取付けられている。これにより、弾性部材からなるベルトおよび立設プレートは、合成樹脂製の収納袋体で覆われているので耐水性があり、雨水や汚水による汚れや錆の発生を防止することができる。また、ベルトおよび立設プレートが表面に露出していないので、身体を傷つけることがない。
【０００８】
本考案の作業用エプロンは、前記胴部の下部に二股に分岐して配置された筒状の両足部が延設されており、その背面部は、使用者が作業用エプロンの着脱を容易にするために、胴部から膝にいたる背面部分が切除されている。これによれば、両足部が身体足部に装着されているので、前傾姿勢になったり、風が吹いても作業用エプロンが足に絡んだり農業用機械器具に絡みつくということがなく、安全に作業をすることができる。
【考案の効果】
【０００９】
本考案の作業用エプロンによれば、拡開・収縮ができる弾性部材からなるベルトを身体腰部にワンタッチで取付けができるとともに、胸当部も自立しているので、紐等を首に巻回して胸当を固定させる必要がない。作業用エプロンはメッシュシートで形成されているので、該シートを熱溶着するだけで容易に製造することができ、軽くかつ通気性に優れているので使用者のフィット感や作業性を向上させることができる。また、弾性部材からなるベルトおよび立設プレートは、合成樹脂製の収納袋体で覆われているので耐水性があり、雨水や汚水による汚れや錆の発生を防止することができる。また、ベルトおよび立設プレートが表面に露出していないので、身体を傷つけることがない。また、両足部が身体足部に装着されているので、前傾姿勢になったり、風が吹いても作業用エプロンが足に絡んだり農業用機械器具に絡みつくということがなく、安全に作業をすることができる。
【図面の簡単な説明】
【００１０】
【図１】本考案の作業用エプロンの正面図である。
【図２】本考案の作業用エプロンの背面図である。
【図３】本考案の作業用エプロンの右側面図である。
【図４】図１のＸ−Ｘ断面図である。
【図５】図１のＹ−Ｙ断面図である。
【考案を実施するための形態】
【００１１】
以下、本考案の作業用エプロンについて、図面に基づき詳細に説明する。図１から図３において、作業用エプロン１は、合成樹脂製のメッシュシートまたは合成樹脂をコーティングしたメッシュシートを用いて形成された胸当部２、胴部３および両足部４から構成されている。
【００１２】
前記胸当部２、胴部３および両足部４は合成樹脂製のメッシュシートが用いられている。メッシュシートは、例えば、ポリエステルフェラメント(繊維)の織物を軟質の合成樹脂フィルムでサンドイッチして形成することができる。また、ポリエステル製の経糸と緯糸とをメッシュ状に編み、編んだ経糸と緯糸を、熱溶着性のポリ塩化ビニール等の合成樹脂に浸漬して、その表面に合成樹脂をコーティングして、適宜の隙間を設けたメッシュシートを形成することができる。なお、メッシュシートはポリエステルに限定されるものではなく、ポリエチレン、ポリプロピレン、塩化ビニール、ＡＢＳ、アクリル、ナイロン、ポリアセタール等の熱可塑性樹脂を用いることができる。
【００１３】
また、前記胴部３と胸当部４の接続部分には、身体腰部に着脱自在に装着するために拡開・収縮ができる弾性部材からなるベルト５を取付けるとともに、該ベルト５の上部に接続された胸当部２には、弾性部材からなる立設プレート６を上下方向に取付けている。前記弾性部材のベルト５は、バネ鋼、ステンレスバネ鋼または形状記憶合金よりなる帯状の薄板を円筒状に形成したものであり両端部は開口されている。ここで、開口とはベルト５の両端部が接続されていないことであり、両端部が相互に重なっていても離れていてもよい。作業用エプロン１を身体に装着するときには、前記ベルト５の両端部を手等で拡開して身体腰部に当接して手等を離すと、ベルト５が円筒状に戻ろうとして収縮し身体腰部に固定される。
【００１４】
図２に示すように、胴部３から両足部４の膝部分にかけて、背面が切除されている。また、両足部４の膝から足首の間は、ズボンの上から容易に装着できる間隙を有した円筒状に形成されている。この作業用エプロン１を身体に装着するときは、まず、両足を作業用エプロン１の両足部４に挿入後、手等でベルト５を拡開した状態で身体腰部に当接して手等を離すと、ベルト５が収縮して身体腰部に固定される。
【００１５】
前記弾性部材の立設プレート６は、前記ベルト５と同様にバネ鋼、ステンレスバネ鋼または形状記憶合金よりなる帯状の薄板が用いられており、適宜の長さに切断して胸当部２の左右側部に上下方向に取り付けられている。これにより胸当部２は胴部上縁より自立するので、首や肩に係止するための紐が不要となる。前記ベルト５および立設プレート６は、図３、図４に示すように合成樹脂製の収納袋体７の内部に収納されて、胴部上縁および胸当部２に熱溶着されている。なお、前記ベルト５および立設プレート６は、帯状体にかえて線条（例えば、ピアノ線）を用いることも可能である。
【００１６】
また、前記ベルト５と立設プレート６は独立して取り付けられているため、収納時には胸当部２を胴部側に折り畳むことができるので、作業用エプロン１をコンパクトに畳んで収納することができる。
【産業上の利用可能性】
【００１７】
本考案は、草刈作業等の農作業に適した作業用エプロンに関するものであるが、これに限定されるものではなく、家事、工芸およびＤＩＹ作業等に広く利用することができる。
【符号の説明】
【００１８】
１  作業用エプロン
２  胸当部
３  胴部
４  両足部
５  ベルト
６  立設プレート
７  収納袋体
８  切除
【図１】
0003150849.tif 000003
【図２】
0003150849.tif 000004
【図３】
0003150849.tif 000005
【図４】
0003150849.tif 000006
【図５】
0003150849.tif 000007